(57)【要約】      （修正有）【課題】電気モジュールの快速脱着が可能なヘッドマウント式表示装置を提供する。【解決手段】バックルアセンブリ１２０はバックルベース１３０及びバックルカバー１４０を含み、バックルベースが移動可能にヘッドベルト本体１１０上に固定され、バックルカバーが脱着可能にバックルベースに配置される。バックルベースとバックルカバーの中の一方がスライドレール１３６を含み、他方がスライド部材１４２を含む。バックルベースとバックルカバーの中の一方がアーム１３７及びアーム上に突設されたフックを含み、他方が係止溝を含む。電気モジュール１５０は表示モジュールを含み、かつバックルカバーに配置される。バックルカバーはフックが係止溝に差し込まれることによりバックルベースに固定され、電気モジュールがヘッドベルト本体に固定される。アームを動かしてフックを係止溝から抜き出すと、バックルカバーがバックルベースから離れ、電気モジュールがヘッドベルト本体から分離される。【選択図】図３
0003205359.tif 000002
【実用新案登録請求の範囲】
【請求項１】
ヘッドマウント式表示装置であって、ヘッドベルト本体と、少なくとも１つのバックルアセンブリと、少なくとも１つの電気モジュールとを含み、
前記少なくとも１つのバックルアセンブリは前記ヘッドベルト本体に配置され、前記バックルアセンブリはそれぞれバックルベース及びバックルカバーを含み、前記バックルベースが移動可能に前記ヘッドベルト本体上に固定され、前記バックルカバーが脱着可能に前記バックルベースに配置され、前記バックルベースと前記バックルカバーの中の一方が少なくとも１つのスライドレールを含み、他方が前記少なくとも１つのスライドレールに対応する少なくとも１つのスライド部材を含み、前記バックルカバーがスライド可能に前記バックルベースに設置され、かつ、前記バックルベースと前記バックルカバーの中の一方がアーム及び前記アーム上に突設されたフックを含み、他方が前記フックに対応する係止溝を含み、
前記少なくとも１つの電気モジュールは前記少なくとも１つのバックルアセンブリに固定され、かつ前記少なくとも１つの電気モジュールはそれぞれ対応する前記バックルカバーに配置され、前記少なくとも１つの電気モジュールが表示モジュールを含み、前記フックが前記係止溝に差し込むことにより前記バックルカバーが前記バックルベースに固定されて、前記少なくとも１つの電気モジュールが前記ヘッドベルト本体に固定され、前記アームを動かして前記フックを前記係止溝から抜き出すと、前記バックルカバーが前記バックルベースから離れて、対応する前記少なくとも１つの電気モジュールが前記ヘッドベルト本体から分離される、ヘッドマウント式表示装置。
【請求項２】
前記バックルベースは基部及び前記基部から突出した凸部を含み、前記凸部の対向する両側面が凹んで２つの前記スライドレールを形成し、前記バックルカバーが「コ」の字型であり、かつ前記「コ」の字型の対向する両端部が互いに向って延伸して、２つの前記スライドレールにそれぞれ差し込む２つの前記スライド部材を形成する、請求項１に記載のヘッドマウント式表示装置。
【請求項３】
前記バックルベースは前記アームを含み、前記アームが対向する第１端部及び第２端部を含み、前記第１端部が前記凸部に接続されており、前記バックルカバーが前記係止溝を含み、前記係止溝が前記「コ」の字型の前記スライド部材に面した表面において凹んで形成される、請求項２に記載のヘッドマウント式表示装置。
【請求項４】
前記フックは前記第１端部に面した緩斜面を含み、前記バックルカバーが前記バックルベースにスライドインした時、前記係止溝近傍の前記表面が前記フックの前記緩斜面を押えて、前記アームを変形させ、前記フックが前記係止溝に入ると、前記アームが復帰する、請求項３に記載のヘッドマウント式表示装置。
【請求項５】
前記アームの延伸方向が前記スライドレールそれぞれの延伸方向と平行する、請求項３に記載のヘッドマウント式表示装置。
【請求項６】
前記アームはさらに、前記凸部から離れている前記第２端部において複数の押圧用隆線を備えており、かつ前記フックが前記第２端部に面した位置限定面を有する、請求項３に記載のヘッドマウント式表示装置。
【請求項７】
前記バックルベースは基部を含み、前記基部が貫通孔を有し、前記ヘッドベルト本体が前記貫通孔に穿設され、前記ヘッドベルト本体が外側表面上に位置する複数の突出リブを含み、前記貫通孔内において前記複数の突出リブの配列方向に対応するスライド溝が設けられ、前記スライド溝の底面に突出部材が設置される、請求項１に記載のヘッドマウント式表示装置。
【請求項８】
前記ヘッドベルト本体の前記外側表面上の前記複数の突出リブは等間隔かつ直線に配列され、前記バックルベースが前記ヘッドベルト本体に対しスライドする時、前記複数の突出リブが前記スライド溝内に移動する、請求項７に記載のヘッドマウント式表示装置。
【請求項９】
前記バックルベースのスライドが停止した時、前記突出部材は、隣接する２つの前記突出リブによって位置限定され、前記２つの突出リブの間に定位されて、前記バックルベースが前記ヘッドベルト本体に位置限定される、請求項８に記載のヘッドマウント式表示装置。
【請求項１０】
前記ヘッドマウント式表示装置は、前記ヘッドベルト本体上の対応する両側に配置される２つの前記バックルアセンブリを含み、２つの前記バックルアセンブリの２つの前記バックルカバーが脱着可能に２つの前記バックルベースに配置され、前記少なくとも１つの電気モジュールがさらにレンズモジュールを含み、前記表示モジュール及び前記レンズモジュールがそれぞれ２つの前記バックルカバーに固定される、請求項１に記載のヘッドマウント式表示装置。
【請求項１１】
前記ヘッドベルト本体は硬質本体又は軟質本体であり、かつ前記軟質本体は帽体上に搭載される、請求項１に記載のヘッドマウント式表示装置。
【請求項１２】
制御回路を備え、かつ前記少なくとも１つの電気モジュールに電気的接続される制御ボックスをさらに含む、請求項１に記載のヘッドマウント式表示装置。
【考案の詳細な説明】
【技術分野】
【０００１】
本考案は表示装置に関し、特にヘッドマウント式表示装置に関する。
【背景技術】
【０００２】
科学技術の急速な発展に伴い、近年はヘッドマウント式装置と電気モジュールを融合させた製品が登場し、ユーザーは電気モジュールを頭又は体に着用することが可能になった。例えば、ヘッドマウント式電子装置は、複数種類の電気モジュール（例えば、表示モジュール及びレンズモジュール）をそれぞれヘッドベルト本体上の左目と右目に近い位置に固定し、ユーザーの目に対し画面を表示し、かつユーザーの目の前のシーンを記録することができる。一部のユーザーは左目で表示モジュールの表示画面を見ることに慣れているが、その他のユーザーは右目で表示モジュールの表示画面を見ることに慣れている可能性がある。そのため、異なるユーザーの習慣に対応できるよう、左側又は右側に表示装置を配置した２仕様のヘッドマウント式表示装置を提供する必要がある。しかし、このようなヘッドマウント式表示装置はすべてのユーザーに対応することができない。
【０００３】
ユーザーが自ら表示モジュールとレンズモジュールを取り外して左右を置き換える場合、表示モジュールとレンズモジュールはロック方式でヘッドベルト本体に固定されているため、脱着が不便であり、また組立てにかなり時間を必要とする。また、表示モジュールとレンズモジュールを左右置き換えた後、表示モジュールが表示する画面がユーザーの目に対し位置ずれが生じ、ユーザーが歪んだ画面又は不完全な画面しか見られない可能性がある。
【０００４】
「背景技術」の記載は本考案の内容を理解するうえで助けになるものであり、「背景技術」で開示された内容には当業者に知られている周知技術の構成以外のものが含まれている可能性がある。「背景技術」で開示された内容は、前記内容又は本考案の一つ若しくは複数の実施例が解決しようとする課題が、本考案の出願前に既に当業者に把握又は認識されていたことを意味するものではない。
【考案の概要】
【考案が解決しようとする課題】
【０００５】
本考案は、電気モジュールの快速脱着が可能なヘッドマウント式表示装置を提供する。
【課題を解決するための手段】
【０００６】
本考案のその他の目的と利点について、本考案が開示する技術特徴から一層理解を深めることができる。
【０００７】
上記一つ若しくは一部若しくはすべての目的、又はその他の目的を達成するため、本考案の一実施例が提供するヘッドマウント式表示装置は、ヘッドベルト本体、ヘッドベルト本体に配置された少なくとも１つのバックルアセンブリ、及び少なくとも１つの電気モジュールを含む。バックルアセンブリはそれぞれバックルベース及びバックルカバーを含み、バックルベースが移動可能にヘッドベルト本体上に固定され、バックルカバーが脱着可能にバックルベースに配置される。バックルベースとバックルカバーの中の一方が少なくとも１つのスライドレールを含み、他方が少なくとも１つのスライドレールに対応する少なくとも１つのスライド部材を含み、バックルカバーがスライド可能にバックルベースに設置される。バックルベースとバックルカバーの中の一方がアーム及びアーム上に突設されたフックを含み、他方がフックに対応する係止溝を含む。少なくとも１つの電気モジュールは少なくとも１つのバックルアセンブリに固定され、かつ少なくとも１つの電気モジュールはそれぞれ対応するバックルカバーに配置される。電気モジュールが表示モジュールを含み、フックが係止溝に差し込むことによりバックルカバーがバックルベースに固定されて、電気モジュールがヘッドベルト本体に固定される。アームを動かしてフックを係止溝から抜き出すと、バックルカバーがバックルベースから離れて、対応する電気モジュールがヘッドベルト本体から分離される。
【０００８】
以上により、本考案の実施例は少なくとも以下の一つの利点又は効果を有する。本考案のヘッドマウント式表示装置のバックルベースは移動可能にヘッドベルト本体上に固定され、電気モジュールがバックルカバーに配置され、フックが係止溝に差し込まれることによりバックルカバーがバックルベースに固定されて、電気モジュールがヘッドベルト本体に固定される。電気モジュールをヘッドベルト本体から分離させたい時、アームを動かすだけでフックを係止溝から抜き出し、バックルカバーをバックルベースから離すことができる。これにより、ユーザーは自分の好みに応じて、ヘッドベルト本体上におけるバックルベースの位置を決めることができて、かつ、自らどの電気モジュールとそのバックルカバーを左側寄り又は右側寄りのバックルベース上に配置するか決めることができて、バックルカバーの取り外し又は取り付けを非常に簡単で素早くできる。
【０００９】
本考案の上記特徴と利点をもっと明確にすべく、以下は図面を参照しながらその実施例を詳しく説明する。
【図面の簡単な説明】
【００１０】
【図１】本考案の一実施例のヘッドマウント式表示装置の概略図である。
【図２】図１のヘッドマウント式表示装置の局部概略図である。
【図３】図２のバックルカバーの一部分がバックルベースからスライドアウトした場合の概略図である。
【図４】図２のＡ−Ａ線における断面概略図である。
【図５】図３のＢ−Ｂ線における断面概略図である。
【図６】図１のヘッドマウント式表示装置のバックルベースの立体概略図である。
【図７】図１のヘッドマウント式表示装置のヘッドベルト本体及びバックルベースの局部断面概略図である。
【図８】本考案の別の実施例のヘッドマウント式表示装置の概略図である。
【考案を実施するための形態】
【００１１】
以下、図面を参照しながら本考案の好ましい実施例を詳しく説明し、本考案の上記及びその他の技術内容、特徴及び効果を明確にする。以下の実施例において言及される方向用語、例えば、上、下、左、右、前又は後などは、図面を参照するための方向である。従って、これらの方向は説明目的に用いられており、本考案を制限するものではない。
【００１２】
図１は本考案の一実施例のヘッドマウント式表示装置の概略図である。図１を参照すると、本実施例のヘッドマウント式表示装置１００は、ヘッドベルト本体１１０、ヘッドベルト本体１１０に配置された少なくとも１つのバックルアセンブリ１２０、少なくとも１つの電気モジュール１５０及び制御ボックス１６０を含む。本実施例において、ヘッドマウント式表示装置１００は、ヘッドベルト本体１１０上の対応する両側に配置される２つのバックルアセンブリ１２０、及び２つのバックルアセンブリ上にそれぞれ配置される２つの電気モジュール１５０を含むが、これに限定されず、ユーザーの使用状況によって一つの電気モジュール１５０を用いてもよい。
【００１３】
各バックルアセンブリ１２０はバックルベース１３０及びバックルカバー１４０を含み、バックルベース１３０は移動可能にヘッドベルト本体１１０上に固定され、バックルカバー１４０は脱着可能にバックルベース１３０に配置される。２つの電気モジュール１５０はそれぞれ表示モジュール１５２とレンズモジュール１５４を含み、表示モジュール１５２及びレンズモジュール１５４はそれぞれ２つのバックルカバー１４０に固定される。制御ボックス１６０は制御回路１６２を含み、かつ電気モジュール１５０に電気的に接続され、制御回路１６２によって２つの電気モジュール１５０を操作する。ここで、レンズモジュール１５４はヘッドマウント式表示装置１００の前方の映像を撮る装置であり、例えばカメラなどである。表示モジュール１５２はユーザーの目の前方に映像を表示する装置であり、例えば、ユーザーの目に映像を投影する虚像装置、又は表示パネルに映像を直接表示する画像形成装置などである。その他の実施例において、表示モジュール１５２とレンズモジュール１５４の種類について限定しない。
【００１４】
本実施例において、ユーザーは自分の好みによって、ヘッドベルト本体１１０上におけるバックルベース１３０の位置を決めることが可能であり、また、異なる電気モジュール１５０とバックルカバー１４０を共に、バックルベース１３０から非常に簡単かつ素早く取り外し、又は取り付けることができる。本実施例において、表示モジュール１５２とレンズモジュール１５４を、そのそれぞれ対応するバックルカバー１４０と共に、異なる側のバックルベース１３０に取り付けてもよい。例えば、ユーザーが右目で映像を見たい場合、表示モジュール１５２とその対応するバックルカバー１４０を素早く右側のバックルベース１３０上に取り付けることができる。以下、ヘッドマウント式表示装置１００の細部構造について詳しく説明する。
【００１５】
図２は図１のヘッドマウント式表示装置の局部概略図である。図３は図２のバックルカバーの一部分がバックルベースからスライドアウトした場合の概略図である。図４は図２のＡ−Ａ線における断面概略図である。図５は図３のＢ−Ｂ線における断面概略図である。図２ないし図５を参照すると、バックルベース１３０とバックルカバー１４０の中の一方が少なくとも１つのスライドレール１３６を含み、他方が少なくとも１つのスライドレール１３６に対応する少なくとも１つのスライド部材１４２を含み、図２及び図３が示すように、バックルカバー１４０をスライド可能にバックルベース１３０に設置する。
【００１６】
より詳しくは、本実施例において、バックルベース１３０は基部１３１及び基部１３１から突出した凸部１３５を含み、基部１３１が移動可能にヘッドベルト本体１１０に固定され、凸部１３５の対向する両側面が凹んで、互いに平行な２つスライドレール１３６を形成する。図２と図３が示すように、バックルカバー１４０は「コ」の字型であり、かつこの「コ」の字型の対向する両端部が互いに向って延伸し、それぞれ２つのスライドレール１３６に差し込む２つのスライド部材１４２を形成し、バックルカバー１４０がスライド可能にバックルベース１３０に設置される。スライド部材１４２が両端部から延伸する長さがスライドレール１３６の凹みの深さと対応して、スライド部材１４２がスライドレール１３６に差し込んだ後、係合することができる。その他の実施例において、バックルベース１３０がスライド部材１４２を含み、バックルカバー１４０がスライドレール１３６を含んでもよく、バックルベース１３０とバックルカバー１４０の組み合わせを成していれば、スライドレール１３６とスライド部材１４２の位置について限定しない。
【００１７】
また、図４と図５が示すように、バックルカバー１４０をバックルベース１３０に固定するために、バックルベース１３０とバックルカバー１４０の中の一方がアーム１３７及びアーム１３７上に突設されたフック１３９を含み、他方がフック１３９に対応する係止溝１４４を含む。本実施例において、バックルベース１３０はアーム１３７及びフック１３９を含む。アーム１３７は対向する第１端部１３７ａ及び第２端部１３７ｂを有する。図４が示すように、左側に位置する第１端部１３７ａはバックルベース１３０の凸部１３５に接続され、右側に位置する第２端部１３７ｂは宙に浮いており、アーム１３７の第２端部１３７ｂは複数の押圧用隆線１３８を含み、ユーザーがこの領域を押してもよいことを示すと共に、第２端部１３７ｂを押す時にユーザーの指とアーム１３７との間の摩擦力を提供し、ユーザーの指の滑りを防げる。フック１３９は第１端部１３７ａに面した緩斜面１３９ａ及び第２端部１３７ｂに面した位置限定面１３９ｂを含み、緩斜面１３９ａと位置限定面１３９ｂの端部が繋がっており、フック１３９が第１端部１３７ａ及び第２端部１３７ｂの押圧用隆線１３８との間に位置する。図３が示すように、アーム１３７が凸部１３５から延伸する方向は、スライドレール１３６の延伸方向と平行である。
【００１８】
図３、図４及び図５が示すように、本実施例において、バックルカバー１４０は係止溝１４４を含み、係止溝１４４は「コ」の字型のスライド部材１４２に面した表面において、凹んだ形で形成される。フック１３９が係止溝１４４に差し込まれることにより、バックルカバー１４０がバックルベース１３０上に固定されて、電気モジュール１５０がヘッドベルト本体１１０に固定される。図５が示すように、バックルカバー１４０をバックルベース１３０から抜き出したい場合、アーム１３７の第２端部１３７ｂを動かすだけで、フック１３９が係止溝１４４から抜き出され、かつバックルカバー１４０を押して、バックルカバー１４０の「コ」の字型の両端のスライド部材１４２がバックルベース１３０のスライドレール１３６に沿って移動し、さらにバックルカバー１４０をバックルベース１３０から押し離して、バックルカバー１４０に固定されていた電気モジュール１５０がヘッドベルト本体１１０から離れる。逆の場合、バックルカバー１４０を再度バックルベース１３０に取り付けたい時、バックルカバー１４０の「コ」の字型の両端の２つのスライド部材１４２を対応するバックルベース１３０の２つのスライドレール１３６にスライドインさせて、同時に、バックルカバー１４０の係止溝１４４近傍の表面がバックルベース１３０のフック１３９の緩斜面１３９ａを押えて、アーム１３７を弾性変形させ、緩斜面１３９ａが係止溝１４４近傍の表面を通過した後、アーム１３７がこれに応じて弾力的に復帰し、フック１３９が係止溝１４４に差し込まれる。ここで、フック１３９の緩斜面１３９ａは位置限定面１３９ｂとアーム１３７の表面に対し、比較的に小さい夾角（表示せず）を有するため、フック１３９が簡単に係止溝１４４に差し込まれ、かつ係止溝１４４内に位置限定されることになる。
【００１９】
また、電気モジュール１５０はバックルカバー１４０によりヘッドベルト本体１１０に位置するバックルベース１３０上に固定されるほか、異なるユーザーの目の位置に応じて調整できるよう、バックルベース１３０のヘッドベルト本体１１０上の位置を調整することも可能である。図６は図１のヘッドマウント式表示装置のバックルベースの立体概略図である。図７は図１のヘッドマウント式表示装置のヘッドベルト本体及びバックルベースの局部断面概略図である。図６と図７を参照すると、本実施例において、バックルベース１３０の基部１３１は貫通孔１３２を有し、ヘッドベルト本体１１０がバックルベース１３０の貫通孔１３２に穿設され、貫通孔１３２とヘッドベルト本体１１０の形状が互いに対応するものであり、ヘッドベルト本体１１０は外側表面１１２上に位置する複数の突出リブ１１４を有する。本実施例において、ヘッドベルト本体１１０の外側表面１１２上のこれらの突出リブ１１４は等間隔で直線配列されているが、突出リブ１１４の配列方式はこれに限定されない。
【００２０】
バックルベース１３０の貫通孔１３２の内表面において、これらの突出リブ１１４の配列方向に対応したスライド溝１３３が凹んだ形で形成されている。スライド溝１３３の底面に突出部材１３４が設置されている。バックルベース１３０がヘッドベルト本体１１０に対しスライドした時、これらの突出リブ１１４が基部１３１のスライド溝１３３内に移動する。バックルベース１３０がスライドを停止した時、スライド溝１３３内の突出部材１３４がヘッドベルト本体１１０上の隣接する２つの突出リブ１１４によって位置限定され、２つの突出リブ１１４の間に定位されて、バックルベース１３０がヘッドベルト本体１１０の特定位置に位置限定される。これにより、ユーザーは自分の好みに応じて、ヘッドベルト本体１１０上におけるバックルベース１３０の位置を調整できる。
【００２１】
なお、本実施例において、ヘッドマウント式表示装置１００のヘッドベルト本体１１０は硬質本体であり、かつユーザーの頭部に装着可能な環状ベルト又はＣ型ベルトである。当然ながら、ヘッドベルト本体１１０の種類はこれに限定されず、図８は本考案の別の実施例のヘッドマウント式表示装置の概略図である。なお、図８において、同一又は類似する素子に同一又は類似する符号を用いて、その説明を省略する。図８を参照すると、本実施例において、ヘッドベルト本体１１０ａは軟質本体であるため、ヘッドベルト本体１１０ａを帽体１０上に搭載し、ユーザーが帽体１０を着用するだけで、電気モジュール１５０を操作できる。その他の実施例において、ヘッドベルト本体は一部が硬質本体、一部が軟質本体の組み合わせであってもよく、本考案はこれに限定されない。
【００２２】
以上のように、本考案の実施例は少なくとも以下の一つ利点又は効果を有する。本考案のヘッドマウント式表示装置のバックルベースは移動可能にヘッドベルト本体上に固定され、電気モジュールがバックルカバーに配置され、バックルカバーはフックが係止溝に差し込まれることによってバックルベースに固定され、これによって電気モジュールがヘッドベルト本体に固定される。電気モジュールをヘッドベルト本体から分離させたい時、アームを動かすだけでフックを係止溝から抜き出し、バックルカバーをバックルベースから脱離させることができる。これにより、ユーザーは、自分の好みに応じてバックルベースがヘッドベルト本体上における位置を決めることが可能であり、かつ、異なる機能を有する電気モジュールとそのバックルカバーを左側寄りのバックルベース上に配置するか、又は右側寄りのバックルベース上に配置するかを自ら決めることができて、簡単かつ快速なバックルアセンブリにより、ユーザーのニーズに応じて電気モジュールを異なるバックルベース上に脱着させて、ユーザーの使用便利性を高めることができる。また、バックルベースがヘッドベルト本体に対する位置を移動させることにより、バックルベース上のスライド溝内の突出部材がヘッドベルト本体上の隣接する２つの突出リブによって位置限定され、さらに対応する電気モジュールの位置を調整することができて、ヘッドマウント式表示装置の使用柔軟性を高めることができる。
【００２３】
以上は本考案の好ましい実施例のみであり、本考案の実施範囲はこれに限定されず、本考案の請求項及び明細書の記載内容に基づいて行われた簡単で等価な変更や修正も本考案の請求の範囲内に属する。また、本考案の任意の実施例又は請求項は、本考案が開示する全ての目的又は利点又は特徴を達成する必要がない。また、要約書及び考案の名称は特許検索に利用するためのものであり、本考案の請求の範囲を限定するものではない。
【符号の説明】
【００２４】
１０      帽体
１００      ヘッドマウント式表示装置
１１０、１１０ａ      ヘッドベルト本体
１１２      外側表面
１１４      突出リブ
１２０      バックルアセンブリ
１３０      バックルベース
１３１      基部
１３２      貫通孔
１３３      スライド溝
１３４      突出部材
１３５      凸部
１３６      スライドレール
１３７      アーム
１３７ａ      第１端部
１３７ｂ      第２端部
１３８      押圧用隆線
１３９      フック
１３９ａ      緩斜面
１３９ｂ      位置限定面
１４０      バックルカバー
１４２      スライド部材
１４４      係止溝
１５０      電気モジュール
１５２      表示モジュール
１５４      レンズモジュール
１６０      制御ボックス
１６２      制御回路
【図１】
0003205359.tif 000003
【図２】
0003205359.tif 000004
【図３】
0003205359.tif 000005
【図４】
0003205359.tif 000006
【図５】
0003205359.tif 000007
【図６】
0003205359.tif 000008
【図７】
0003205359.tif 000009
【図８】
0003205359.tif 000010